(57)【要約】      （修正有）【課題】容易に蓋を釈放することができ、かつ何度でも容易に蓋体を係止できる箱を提供する。【解決手段】箱は、前壁２と後壁４と側壁８で構成されている。後壁４の先端縁に連ねた蓋体２０は、後壁４の先端縁にほぼ平行に２０蓋体の中途にある折り返し縁で折り返され、折り返し部２４が形成されている。蓋体２０が後壁４の先端縁で前壁２側に折り曲げられ、折り返し部２４が前壁２に接触している。折り返し部２４で、折り返し縁のほぼ中央から幾分離れて折り返し縁側に向かう舌片３４形成用切り込みを形成し、舌片３４の両端から外側に向かう折り曲げ線に沿って折り返し部２４が折り曲げられ、折り曲げ線の両外方端から折り曲げ縁側に向かう切り込みが形成されている。舌片３４が前壁２に形成されている係合用孔３８に係合する。【選択図】図１
0003171863.tif 000002
【実用新案登録請求の範囲】
【請求項１】
それぞれ同一の概略矩形に形成された前壁と後壁とを少なくとも底部側において間隔をあけて配置し、前記前壁と前記後壁との両側縁を１対の側壁で繋いで構成され、前記前壁、前記後壁及び前記１対の側壁の先端に開口を有する箱において、
前記後壁の先端縁に連ねて概略矩形の蓋体が形成され、前記蓋体は、前記後壁の先端縁にほぼ平行に前記蓋体の中途にある折り返し縁で折り返されることによって、ほぼ矩形の折り返し部が形成され、前記蓋体は、前記後壁の先端縁で前記前壁側に折り曲げられ、この折り曲げ状態において、前記折り返し部が前記前壁に接触し、前記折り返し部において、前記折り返し縁のほぼ中央から幾分離れて前記折り返し縁側に向かう舌片形成用切り込みを形成することによって舌片を形成し、この舌片の両端からそれぞれ外側に向かう第１の折り曲げ線に沿って前記折り返し部が折り曲げられ、これら第１の折り曲げ線の両外方端から前記折り曲げ縁側に向かう折り曲げ用切り込みが形成され、前記舌片が係合する係合用孔が前記前壁に形成されている箱。
【請求項２】
請求項１記載の箱において、前記折り曲げ用切り込みの外方端から、それぞれ前記折り返し縁側に向かう第２の折り曲げ線に沿って前記折り返し部が折り曲げられている箱。
【考案の詳細な説明】
【技術分野】
【０００１】
本考案は、例えば紙製の箱に関し、特に、蓋の係止構造に関する。
【背景技術】
【０００２】
従来、蓋を備えた紙製の箱としては、例えば特許文献１に開示されたようなものがある。特許文献１の技術では、矩形の底板の前縁に前板、底板の後縁に後板、底板の両側縁に側板を有し、前板、後板及び側板によってこれらの上部が開口した箱において、後板の上縁に連ねて矩形の上蓋を設け、この上蓋の前端に差し込み片を設けてある。差し込み片は、前板の上端内面に重なるように差し込まれて開口を閉じた状態を維持する。差し込み片の中央部に差し込み片の深さ方向に亘ってほぼハの字状の罫線が形成され、この罫線に囲まれて上端がハの字状の罫線の上端に繋がるＶ字状の罫線が形成され、このＶ字状の罫線の先端間を繋ぐように切り込みを設け、上蓋に突出片を構成している。また、差し込み片が前板の上端内面に差し込まれた状態で、差し込み片のＶ字状の罫線が形成されている部分に対応する前板の上端には半円状の切り込みが形成されている。
【先行技術文献】
【特許文献】
【０００３】
【特許文献１】特開２００３−２９１９４３号公報
【考案の概要】
【考案が解決しようとする課題】
【０００４】
特許文献１の技術によれば、上蓋が開口を閉じている状態において、前板の切り込みの位置で指を上蓋の突出片に引っかけて差し込み片を持ち上げることにより上蓋を開くことができ、指を差し込んだときに、差し込み片が内側に押しつけられるが、上述したようにハの字状及びＶ字状に罫線を設けているので、これら罫線の部分で差し込み片が折り曲げられ、差し込み片に不規則な折り目がつくことがない。しかし、特許文献１の技術によれば、何度も上蓋の開閉を行うことはできるが、上蓋を開くためには、前板の切り込みに指を上蓋の突出片に引っかけて持ち上げねば成らず、その作業が面倒であった。
【０００５】
本考案は、蓋を係止した状態から容易に蓋を釈放することができ、かつ何度でも容易に蓋を係止することができる箱を提供することを目的とする。
【課題を解決するための手段】
【０００６】
本考案の一態様の箱は、それぞれ同一の概略矩形に形成された前壁と後壁とを有し、これら前壁と後壁とは、少なくとも底部側において間隔をあけて配置されている。前記前壁と前記後壁との両側縁が１対の側壁で繋がれている。前記前壁、前記後壁及び前記１対の側壁の先端に開口が形成されている。前記後壁の先端縁に連ねて概略矩形の蓋体が形成されている。この蓋体は、前記後壁の先端縁にほぼ平行に前記蓋体の中途にある折り返し縁で折り返されることによって形成されたほぼ矩形の折り返し部を有している。この蓋体は、前記後壁の先端縁で前記前壁側に折り曲げられている。この折り曲げ状態において、前記折り返し部が前記前壁に接触している。前記折り返し部において、前記折り返し縁のほぼ中央から幾分離れて前記折り返し縁側に向かう舌片形成用切り込みを形成することによって舌片が形成されている。この舌片の両端からそれぞれ外側に向かう第１の折り曲げ線に沿って前記折り返し部が折り曲げられ、これら第１の折り曲げ線の両外方端から前記折り曲げ縁側に向かう折り曲げ用切り込みが形成されている。前記舌片が係合する係合用孔が前記前壁に形成されている。
【０００７】
このように構成すると、舌片が係合用孔に係合している状態において、蓋体を後壁型に押すことによって舌片が係合用孔から外れ、容易に蓋体を開くことができる。しかも、舌片を形成する際に、第１の折り曲げ線に連ねて折り曲げ用切り込みを形成してあるので、箱の材料、例えば紙の弾力によって自動的に舌片が係合用孔から外れることを防止できる。
【０００８】
前記折り曲げ用切り込みの外方端から、それぞれ前記折り返し縁側に向かう第２の折り曲げ線に沿って前記折り返し部を、折り曲げることもできる。このように構成すると、舌片の根本部分と折り曲げ縁との間が鋭角に曲げられ、円滑に舌片が係合用孔に係合する。
【考案の効果】
【０００９】
以上のように、本考案によれば、蓋体を舌片によって係合用孔に係止した状態から容易に蓋を釈放することができ、かつ何度でも容易に蓋体を係止することができる。
【図面の簡単な説明】
【００１０】
【図１】本考案の一実施形態の部分省略拡大縦断側面図である。
【図２】図１の箱の展開図である。
【図３】図１の箱の前壁、後壁及び側壁を組み立てた斜視図である。
【図４】図１の箱の開口を閉じた状態まで前壁、後壁及び側壁を組み立てた斜視図である。
【図５】図４の状態から蓋体の折り返し部を折り返した状態及び舌片を起こした状態の部分省略正面図である。
【考案を実施するための形態】
【００１１】
本考案の一実施形態の箱は、例えば紙製で、図２に示すような展開状態に紙を裁断し、この裁断された紙を組み立てることによって構成される。図２において、破線で示すのは折り線で、外縁よりも内側に示された実線は、切り込み線である。
【００１２】
展開図では、ほぼ同一の矩形、例えば長方形状の前壁２と後壁４とが縦長の状態で間隔をおいて配置されている。前壁２と後壁４との間隔内に、縦長の概略長方形状である一方の側壁６が、前壁２の一方の長手縁と、この長手縁に対向している後壁４の長手縁とにそれぞれ連なって配置されている。また、側壁６と連なっていない後壁４の長手縁には、側壁６と同一形状のもう一方の側壁８が連なっている。これら側壁６、８には、逆Ｙ字状の折り曲げ線が形成されている。前壁２の側壁６と連なっていない長手縁には、糊代部１０が一体に形成されている。前壁２及び後壁４の両長手縁をそれぞれ山折りして、糊代部１０を側壁８の後壁４とつながっていない縁の内面に貼り付け、側壁６、８の逆Ｙ字状の折り曲げ線に沿って谷折りすると、図３に示すように、前壁２及び後壁４とが下部において予め定めた間隔を維持して配置され、上部に向かうに従って、両者の間隔が狭くなる箱の胴部が形成される。これら前壁２、後壁４及び側壁６、８の先端縁、即ち、上端縁には、物品を出し入れするための開口が形成されている。物品が開口から内部に収容された後には、図４に示すように前壁２を後壁４に接触させて、開口を閉じている。
【００１３】
図２に示すように、前壁２及び後壁４の下縁及び側壁６、８の下縁には、それぞれ底壁形成部材１２、１４、１６、１８が一体に形成され、これらによって、箱の底壁が形成されている。底壁の構成は、本願考案の要旨に無関係であるので、詳細な説明は省略する。
【００１４】
後壁４の上端縁に連ねて、蓋体２０が形成されている。蓋体２０は、矩形状、例えば横長の長方形状に形成され、その縦方向のほぼ中央よりも幾分上方側の位置に、後壁４の先端縁、例えば上端縁に平行に形成された折り曲げ線２２に沿って、図５（ａ）に示すように山折りされて、折り返し部２４が形成されている。折り曲げ線２２が折り返し縁となる。この折り返し部２４を折り返した状態において、折り返し部２４には、折り曲げ線２２の中央付近において、折り曲げ線２２から離れた位置から、折り曲げ線２２に向かって凸の円弧状に舌片形成用切り込み２６が形成されている。この舌片形成用切り込み２６の両端からそれぞれ外側に向かって第１の折り曲げ線２８、２８が、折り曲げ線２２にほぼ平行に同一長さだけ形成され、これら第２の折り曲げ線２８、２８の円弧状部２６と反対側の端部から折り曲げ線２２側に向かって中途まで、外向きに直線状に折り曲げ用切り込み３０、３０が形成されている。これら折り曲げ用切り込み３０、３０の折り曲げ線２８、２８と反対側の端部から、折り曲げ線２２の両端にそれぞれ向かって、湾曲した第２の折り曲げ線３２、３２が形成されている。折り曲げ線２８、３２に沿って折り曲げ部２４を山折りに折り曲げることによって切り込み２６が形成されている部分が折り曲げ線２２よりも突出して、係合用の舌片３４となる。
【００１５】
図２及び図３に示すように、前壁２の上端縁には、舌片状の折り返し片３６が一体に形成され、前壁２の上端縁を山折りして、開口内に折り曲げられて、前壁２の内面と、側壁６、８の内側に織り込まれた部分との間に挟み込まれている。さらに、前壁２の上端縁から幾分下方の中央には、係合用孔、例えば貫通孔３８が形成され、その下縁が直線状の係合縁４０とされている。
【００１６】
蓋体２０を後壁４の上端縁で山折りして、図１に示すように前壁２に重ねた状態で、舌片３４が係合用の貫通孔３８に挿通可能な位置関係に貫通孔３８が形成されている。上述したように蓋体２０を山折りした状態で、舌片３４を係合縁４０に接触させる。これによって、蓋体２０が閉じられ、自然に蓋体２０が開くことはない。なお、図１では、紙の厚さをかなり誇張して描いてある。
【００１７】
特に、舌片３４は、舌片形成用切り込み２６に沿って折り返し部２４を切り起こしただけで製造したのではなく、第１の折り曲げ線２８、第２の折り曲げ線３２の間に折り曲げ用切り込み３０が存在するので、舌片３４を貫通孔３８の直線縁４０に摩擦接触させている状態で、舌片３４が紙の弾力によって直線縁４０から自動的に外れることはない。なお、蓋体２０を幾分、貫通孔３８側に押すことによって、舌片３４が直線縁４０から外れ、紙の弾力によって蓋体２０が自動的に開く。また、再度蓋体２０によって閉じる場合には、舌片３４を係合縁４０に摩擦接触するように舌片３４を貫通孔３８に押し込む。これによって、何度でも蓋体２０を開閉することができるし、蓋体２０によって閉じている状態では、自動的に蓋体２０が開くこともない。また、第２の折り曲げ線３２を形成してあるので、舌片３４の根本の部分と折り曲げ線２２との部分とを繋ぐ直線が前壁２に対して成す角度が鋭角となり、紙の弾力によって折り返し部２４が開こうとする力が舌片３４を介して係合縁４０に掛かるので、自動的に蓋体２０が開くことはない。
【００１８】
上記の実施形態では、側壁６、８を逆Ｙ字状の折り曲げ線に沿って谷折りしたが、場合によっては不要である。その場合、蓋体２０は、開いたままの開口を閉じるように延長する必要がある。
【符号の説明】
【００１９】
２  前壁
４  後壁
６  ８  側壁
２０  蓋体
２２  折り曲げ線（折り返し縁）
２４  折り返し部
２６  舌片形成用切り込み
２８  第１の折り曲げ線
３０  折り曲げ用切り込み
３２  第２の折り曲げ線
３４  舌片
３８  貫通孔（係合用孔）
【図１】
0003171863.tif 000003
【図２】
0003171863.tif 000004
【図３】
0003171863.tif 000005
【図４】
0003171863.tif 000006
【図５】
0003171863.tif 000007